(57)【要約】【課題】警備員による実環境の画像または音声の記録機能の実行を警備業務に必要な程度に極力制限すること。【解決手段】携帯端末は、記録部と、記憶部と、制御部とを有する。上記記録部は、実環境の画像または音声を記録する。上記記憶部は、警備業務情報の入出力のための業務アプリケーションと、上記記録部を用いた上記画像または上記音声の記録のための記録アプリケーションとを記憶する。上記制御部は、上記業務アプリケーションと上記記録アプリケーションとが同時に実行されないように上記業務アプリケーション及び上記記録アプリケーションを制御する。【選択図】図８
2015118497.tif 000002
【特許請求の範囲】
【請求項１】
実環境の画像または音声を記録する記録部と、
警備業務情報の入出力のための業務アプリケーションと、前記記録部を用いた前記画像または前記音声の記録のための記録アプリケーションとを記憶する記憶部と、
前記業務アプリケーションと前記記録アプリケーションとが同時に実行されないように前記業務アプリケーション及び前記記録アプリケーションを制御する制御部と
を具備する携帯端末。
【請求項２】
請求項１に記載の携帯端末であって、
所定の警備業務の開始及び終了を検出する検出部と、
前記警備業務の開始が検出されてから所定時間が経過するまでに前記警備業務の終了が検出されない場合に警報を出力する出力部と
をさらに具備し、
前記検出部は、前記業務アプリケーションへの前記警備業務情報の入力を条件に前記警備業務の終了を検出する
携帯端末。
【請求項３】
請求項２に記載の携帯端末であって、
前記警備業務の開始及び終了を示す情報を、ネットワークを介してサーバ装置へ送信する通信部をさらに具備し、
前記出力部は、前記通信部により前記サーバ装置から受信した警報情報に基づいて前記警報を出力する
携帯端末。
【請求項４】
請求項１に記載の携帯端末であって、
ネットワークを介してサーバ装置と通信する通信部と、
ユーザの操作を受け付ける操作受付部とをさらに具備し、
前記制御部は、
前記操作受付部により前記記録アプリケーションの実行を要求する操作が受け付けられた場合に、前記記録アプリケーションの実行を要求する実行要求信号を前記サーバ装置へ送信し、前記サーバ装置から前記記録アプリケーションの実行を許可する実行許可信号を受信するように前記通信部を制御し、
前記実行許可信号が受信された場合に、前記記録アプリケーションを実行可能とする
携帯端末。
【請求項５】
請求項４に記載の携帯端末であって、
前記制御部は、前記記録アプリケーションの実行中に、前記通信部により、前記記録アプリケーションの実行を制限する制限信号が受信された場合に、前記記録アプリケーションを終了させる
携帯端末。
【請求項６】
請求項１に記載の携帯端末であって、
前記制御部は、前記記録アプリケーションの実行が開始されてから所定時間経過した場合に、当該記録アプリケーションを終了させる
携帯端末。
【請求項７】
請求項１に記載の携帯端末であって、
前記制御部は、前記記録アプリケーションの実行が開始されてから前記画像または前記音声が所定回数記録された場合に、当該記録アプリケーションを終了させる
携帯端末。
【請求項８】
請求項１に記載の携帯端末であって、
前記業務アプリケーションは、所定の警備対象施設の巡回点検業務に用いられ、
当該携帯端末は、前記巡回点検業務の開始にあたり点検エリアに設けられた機器から巡回点検業務に関する情報を読み取る読取部をさらに具備し、
前記制御部は、前記記録アプリケーションの実行中は前記情報の読み取りを不可能とするように前記読取部を制御する
携帯端末。
【請求項９】
請求項１に記載の携帯端末であって、
前記業務アプリケーションは、所定の警備対象施設の巡回点検業務に用いられ、
当該携帯端末は、前記巡回点検業務の開始にあたり点検エリアに設けられた機器から巡回点検業務に関する情報を読み取る読取部と、
ユーザの操作を受け付ける操作受付部とをさらに具備し、
前記制御部は、前記読取部により前記情報が読み取られた後に、前記操作受付部により前記記録アプリケーションの実行を要求する操作が受け付けられた場合に、前記記録アプリケーションを実行可能とする
携帯端末。
【請求項１０】
請求項１に記載の携帯端末であって、
当該携帯端末の位置を測定する測位部をさらに具備し、
前記制御部は、前記測位部で測定された現在の位置が、前記記録アプリケーションの実行が開始されたときに前記測位部で測定された位置から所定の位置範囲を逸脱した場合に、前記記録アプリケーションを終了させる
携帯端末。
【請求項１１】
請求項１に記載の携帯端末であって、
ネットワークを介してサーバ装置と通信する通信部と、
当該携帯端末の位置を測定する測位部とをさらに具備し、
前記制御部は、前記記録アプリケーションの実行中に前記測位部で測定された当該携帯端末の位置に関する情報を、前記サーバ装置へ送信するように前記通信部を制御する
携帯端末。
【請求項１２】
ネットワークを介してサーバ装置と通信する第１の通信部と、
実環境の画像または音声を記録する記録部と、
警備業務情報の入出力のための業務アプリケーションと、前記記録部を用いた前記画像または前記音声の記録のための記録アプリケーションとを記憶する記憶部と、
ユーザの操作を受け付ける操作受付部と、
前記操作受付部により前記記録アプリケーションの実行を要求する操作が受け付けられた場合に、前記記録アプリケーションの実行を要求する実行要求信号を前記サーバ装置へ送信し、前記サーバ装置から前記記録アプリケーションの実行を許可する実行許可信号を受信するように前記第１の通信部を制御し、前記実行許可信号が受信された場合に、前記記録アプリケーションを実行可能とし、前記記録アプリケーションの実行中は前記業務アプリケーションを実行不可能とする第１の制御部と
を有する携帯端末と、
ネットワークを介して前記携帯端末と通信する第２の通信部と、
前記第２の通信部により前記実行要求信号が受信された場合に、前記実行許可信号を送信するように前記第２の通信部を制御する第２の制御部と
を有するサーバ装置と
を具備する情報処理システム。
【請求項１３】
警備業務情報の入出力のための業務アプリケーションを実行し、
実環境の画像または音声の記録のための記録アプリケーションの実行を要求するユーザの操作を受け付け、
前記操作が受け付けられたときに、前記記録アプリケーションを実行させるとともに、前記業務アプリケーションを実行不可能にする
情報処理方法。
【請求項１４】
携帯端末に、
警備業務情報の入出力のための業務アプリケーションを実行するステップと、
実環境の画像または音声の記録のための記録アプリケーションの実行を要求するユーザの操作を受け付けるステップと、
前記操作が受け付けられたときに、前記記録アプリケーションを実行させるとともに、前記業務アプリケーションを実行不可能にするステップと
を実行させるプログラム。
【発明の詳細な説明】
【技術分野】
【０００１】
本発明は、警備員による警備業務中に携帯される携帯端末、当該携帯端末を含む情報処理システム、当該携帯端末における情報処理方法及びプログラムに関する。
【背景技術】
【０００２】
事務所や住宅その他の警備業務対象施設において、警備員は、自己の巡回点検業務状況を入力するための携帯端末を携帯している場合がある。
【０００３】
上記携帯端末には、撮影機能や録音機能等を有する記録用アプリケーションがインストールされている場合もあり、警備員は、警備業務対象施設において、例えば犯罪現場や事故現場に遭遇した場合等、警備業務に必要な場合には、当該記録用アプリケーションを用いて、実環境の撮影や録音等の記録を行う場合もある。
【０００４】
しかし、警備業務に不必要な記録が行われることもあり得るため、営業秘密や個人情報の保護の観点から、無制限に上記記録アプリケーションの実行が可能な状態であることは好ましくない。
【０００５】
この点に関連して、下記特許文献１には、所定の暗証コードを入力して設定を解除しない限り操作部に対する操作を無効化するロック機能を有する撮影機能付き携帯電話機が開示されている。
【先行技術文献】
【特許文献】
【０００６】
【特許文献１】特開２００５−２６７３０号公報
【発明の概要】
【発明が解決しようとする課題】
【０００７】
しかし、上記特許文献１に記載の技術においては、携帯電話機の所有者以外の者に対しては、撮影機能の利用を制限できるが、暗証コードを知っている所有者による撮影機能の利用は制限できない。
【０００８】
以上のような事情に鑑み、本発明の目的は、警備員による実環境の画像または音声の記録機能の実行を警備業務に必要な程度に極力制限することが可能な携帯端末、当該携帯端末を含む情報処理システム、当該携帯端末における情報処理方法及びプログラムを提供することにある。
【課題を解決するための手段】
【０００９】
上記目的を達成するため、本発明の一形態に係る携帯端末は、記録部と、記憶部と、制御部とを有する。上記記録部は、実環境の画像または音声を記録する。上記記憶部は、警備業務情報の入出力のための業務アプリケーションと、上記記録部を用いた上記画像または上記音声の記録のための記録アプリケーションとを記憶する。上記制御部は、上記業務アプリケーションと上記記録アプリケーションとが同時に実行されないように上記業務アプリケーション及び上記記録アプリケーションを制御する。
【００１０】
これにより携帯端末は、記録アプリケーションの実行中は、業務アプリケーションの実行を不可能とすることで、業務アプリケーションによる警備業務情報の入力を行う必要がある警備員に、記録アプリケーションの実行に対して抑制心を生じさせ、警備員による記録アプリケーションの実行を警備業務に必要な程度に極力制限することができる。
【００１１】
上記携帯端末は、所定の警備業務の開始及び終了を検出する検出部と、上記警備業務の開始が検出されてから所定時間が経過するまでに上記警備業務の終了が検出されない場合に警報を出力する出力部とをさらに有してもよい。この場合上記検出部は、前記業務アプリケーションへの前記警備業務情報の入力を条件に前記警備業務の終了を検出してもよい。
【００１２】
これにより携帯端末は、所定の警備業務をタイマで管理することで、警備員に所定時間内に警備業務を終了させるように促すことができ、それにより警備員に記録アプリケーションの実行を必要最低限に留めさせることができる。
【００１３】
上記携帯端末は、上記警備業務の開始及び終了を示す情報を、ネットワークを介してサーバ装置へ送信する通信部をさらに有してもよい。この場合上記出力部は、上記通信部により上記サーバ装置から受信した警報情報に基づいて上記警報を出力してもよい。
【００１４】
これにより携帯端末は、警備業務がサーバ装置によりタイマ管理されていることを以って、警備員に所定時間内に警備業務を終了させようとする強い動機を与えることができる。
【００１５】
上記携帯端末は、ネットワークを介してサーバ装置と通信する通信部と、ユーザの操作を受け付ける操作受付部とをさらに有してもよい。この場合上記制御部は、上記操作受付部により上記記録アプリケーションの実行を要求する操作が受け付けられた場合に、上記記録アプリケーションの実行を要求する実行要求信号を上記サーバ装置へ送信し、上記サーバ装置から上記記録アプリケーションの実行を許可する実行許可信号を受信するように上記通信部を制御してもよい。さらに制御部は、上記実行許可信号が受信された場合に、上記記録アプリケーションを実行可能としてもよい。
【００１６】
これにより携帯端末は、記録アプリケーションの実行の際にはサーバ装置からの許可を必要とすることで、警備員に記録アプリケーションの実行に対する抑制心を生じさせることができる。
【００１７】
上記制御部は、上記記録アプリケーションの実行中に、上記通信部により、上記記録アプリケーションの実行を制限する制限信号が受信された場合に、上記記録アプリケーションを終了させてもよい。
【００１８】
これにより携帯端末は、サーバからの制限信号によって強制的に記録アプリケーションを終了させることで、警備員の意思に関わらず記録アプリケーションの実行を制限することができる。
【００１９】
上記制御部は、上記記録アプリケーションが実行が開始されてから所定時間経過した場合に、当該記録アプリケーションを終了させてもよい。
【００２０】
これにより携帯端末は、記録アプリケーションの実行時間に制限を設けることで、警備員の意思に関わらず記録アプリケーションの実行を制限することができる。
【００２１】
上記制御部は、上記記録アプリケーションが実行が開始されてから上記画像または上記音声が所定回数記録された場合に、当該記録アプリケーションを終了させてもよい。
【００２２】
これにより携帯端末は、記録アプリケーションによる記録回数に制限を設けることで、警備員の意思に関わらず記録アプリケーションの実行を制限することができる。
【００２３】
上記業務アプリケーションは、所定の警備対象施設の巡回点検業務に用いられてもよい。この場合上記携帯端末は、上記巡回点検業務の開始にあたり点検エリアに設けられた機器から巡回点検業務に関する情報を読み取る読取部をさらに有してもよい。この場合上記制御部は、上記記録アプリケーションの実行中は上記情報の読み取りを不可能とするように上記読取部を制御してもよい。
【００２４】
これにより携帯端末は、記録アプリケーションの実行中は警備員が巡回点検業務を開始できなくすることで、警備員に記録アプリケーションの実行に対する抑制心を生じさせることができる。
【００２５】
あるいは、上記携帯端末は、上記ユーザの操作を受け付ける操作受付部とをさらに有してもよく、この場合上記制御部は、上記読取部により上記情報が読み取られた後に、上記操作受付部により上記記録アプリケーションの実行を要求する操作が受け付けられた場合に、上記記録アプリケーションを実行可能としてもよい。
【００２６】
これにより携帯端末は、巡回点検業務に関する情報の読み取りにより、警備員が点検エリアに存在することが確認された場合に記録アプリケーションを実行可能とすることで、記録アプリケーションが警備業務以外の用途に使用されるのを防ぐことができる。
【００２７】
当該携帯端末の位置を測定する測位部をさらに有してもよい。この場合上記制御部は、上記測位部で測定された現在の位置が、上記記録アプリケーションの実行が開始されたときに上記測位部で測定された位置から所定の位置範囲を逸脱した場合に、上記記録アプリケーションを終了させてもよい。
【００２８】
これにより携帯端末は、警備員が、記録の必要性に乏しい、警備業務エリアから離れた位置で記録アプリケーションを実行している場合には、警備員の意思に関わらず記録アプリケーションの実行を制限することで、記録アプリケーションが警備業務以外の用途に使用されるのを防ぐことができる。
【００２９】
あるいは、上記携帯端末は、ネットワークを介してサーバ装置と通信する通信部をさらに有してもよく、この場合上記制御部は、上記記録アプリケーションの実行中に上記測位部で測定された当該携帯端末の位置に関する情報を、上記サーバ装置へ送信するように上記通信部を制御してもよい。
【００３０】
これにより携帯端末は、記録アプリケーションの実行中の携帯端末（警備員）の位置をサーバ装置へ送信することで、警備員が警備業務エリアから離れて記録アプリケーションを実行している場合に、サーバ装置の管理者に、例えば警報を送信したり、確認の電話をしたり、遠隔的に記録アプリケーションを終了させたり等の、記録アプリケーションの実行を制限するための適宜の手段を講じさせることができる。
【００３１】
本発明の他の形態に係る情報処理システム、携帯端末と、サーバ装置とを有する。
上記携帯端末は、第１の通信部と、記録部と、記憶部と、操作受付部と、第１の制御部とを有する。
上記第１の通信部は、ネットワークを介してサーバ装置と通信する。上記記録部は、実環境の画像または音声を記録する。上記記憶部は、警備業務情報の入出力のための業務アプリケーションと、上記記録部を用いた上記画像または上記音声の記録のための記録アプリケーションとを記憶する。上記操作受付部は、ユーザの操作を受け付ける。上記第１の制御部は、上記操作受付部により上記記録アプリケーションの実行を要求する操作が受け付けられた場合に、上記記録アプリケーションの実行を要求する実行要求信号を上記サーバ装置へ送信し、上記サーバ装置から上記記録アプリケーションの実行を許可する実行許可信号を受信するように上記第１の通信部を制御する。また制御部は、上記実行許可信号が受信された場合に、上記記録アプリケーションを実行可能とし、前記記録アプリケーションの実行中は上記業務アプリケーションを実行不可能とする。
上記サーバ装置は、第２の通信部と、第２の制御部とを有する。
上記第２の通信部は、ネットワークを介して上記携帯端末と通信する。上記第２の制御部は、上記第２の通信部により上記実行要求信号が受信された場合に、上記実行許可信号を送信するように上記第２の通信部を制御する。
【００３２】
本発明の他の形態に係る情報処理方法は、
警備業務情報の入出力のための業務アプリケーションを実行すること、
実環境の画像または音声の記録のための記録アプリケーションの実行を要求するユーザの操作を受け付けること、及び、
上記操作が受け付けられたときに、上記記録アプリケーションを実行させるとともに、上記業務アプリケーションを実行不可能にすることを含む。
【００３３】
本発明のまた別の形態に係るプログラムは、携帯端末に、
警備業務情報の入出力のための業務アプリケーションを実行するステップと、
実環境の画像または音声の記録のための記録アプリケーションの実行を要求するユーザの操作を受け付けるステップと、
上記操作が受け付けられたときに、上記記録アプリケーションを実行させるとともに、上記業務アプリケーションを実行不可能にするステップと
を実行させる。
【発明の効果】
【００３４】
本発明によれば、警備員による実環境の画像または音声の記録機能の実行を警備業務に必要な程度に極力制限することができる。
【図面の簡単な説明】
【００３５】
【図１】本発明の第１の実施形態に係る警備システムの概要を示した図である。
【図２】上記警備システムにおける警備対象施設を示した図である。
【図３】上記警備システムにおける携帯端末のハードウェア構成を示した図である。
【図４】上記警備システムにおけるセンタサーバのハードウェア構成を示した図である。
【図５】上記携帯端末においてＩＣタグから点検エリアの識別情報が読み取られて業務アプリケーション上で点検記録が入力される様子を説明した図である。
【図６】上記警備対象施設における点検エリアと基準点検時間との関係を示した図である。
【図７】各点検エリアの点検業務における上記センタサーバの動作の流れを示したフローチャートである。
【図８】各点検エリアの点検業務における上記携帯端末の動作の流れを示したフローチャートである。
【図９】各点検エリアの点検業務における上記警備システムの動作の流れを模式的に示した図である。
【図１０】本発明の第２の実施形態に係る警備システムの概要を示した図である。
【発明を実施するための形態】
【００３６】
以下、図面を参照しながら、本発明の実施形態を説明する。
【００３７】
＜第１の実施形態＞
まず、本技術の第１の実施形態について説明する。
【００３８】
［システムの概要］
図１は、本発明の一実施形態に係る警備システムの概要を示した図である。
【００３９】
同図に示すように、警備システムは、警備対象施設Ｂに常駐する警備員Ｇが携帯する携帯端末１００と、当該携帯端末１００とネットワーク５０を介して通信可能な警備会社のコントロールセンタのサーバ２００（以下、センタサーバ２００）とを有する。
【００４０】
ネットワーク５０はインターネット等のオープンな広域ネットワークでもよいし、携帯端末１００とセンタサーバ２００とのクローズドな専用ネットワークであってもよい。
【００４１】
警備対象施設Ｂは、例えば企業等の事務所、個人の住宅、興行場、駐車場、遊園地、空港等である。当該警備対象施設Ｂに常駐する警備員Ｇは、携帯する携帯端末１００を用いながら、巡回点検業務を実行する。
【００４２】
センタサーバ２００は、コントロールセンタ内の管制員Ｃ等のオペレータによって操作される。センタサーバ２００は、携帯端末１００から巡回典型業務の記録情報を受信し、それを蓄積することで、警備対象施設Ｂにおける異常の有無及び警備員Ｇの業務状況を把握する。またセンタサーバ２００は、例えば警備対象施設Ｂの異常事態等、必要な場合に、携帯端末１００へ各種指示等のための情報を送信する。
【００４３】
［警備対象施設の概要］
図２は、上記システムにおける警備対象施設Ｂを示した図である。同図の例では、当該警備対象施設Ｂは例えば企業等の事務所である。
【００４４】
同図に示すように、警備対象施設Ｂにおいては、複数の点検エリアＡ（Ａ１〜Ａ６）が設定されている。警備員Ｇは、携帯端末１００を携帯しながら、当該複数の点検エリアＡを順に（例えば同図の破線矢印の順路で）巡回する。
【００４５】
各点検エリアＡには、少なくとも１つの点検ポイントＰ（Ｐ１〜Ｐ１７）が設定されている。点検ポイントＰは、例えば窓（Ｐ１，Ｐ３，Ｐ５，Ｐ９，Ｐ１１，Ｐ１３，Ｐ１６）、照明（Ｐ２，Ｐ６，Ｐ１０，Ｐ１２，Ｐ１５）、ドア（Ｐ７，Ｐ１４）、コピー機（Ｐ４）、金庫（Ｐ８）、灰皿（Ｐ１７）等である。
【００４６】
警備員Ｇは、それぞれの点検ポイントＰにおいて、窓、ドア、金庫が施錠されているか、照明が消灯されているか、コピー機の電源はオフか、灰皿に火のついたタバコは無いか等の項目を点検する。
【００４７】
また各点検エリアＡには、例えば壁面やドア等に、それぞれ対応するＩＣタグＴ（Ｔ１〜Ｔ６）が設置されている。当該ＩＣタグＴは、例えばＮＦＣ（Near field communication）タグであり、各点検エリアＡの識別情報等を記憶している。
【００４８】
警備員Ｇは、各点検エリアＡの点検を開始する際に、携帯する携帯端末１００によって当該ＩＣタグＴから識別情報を読み取る。これにより携帯端末１００においては、当該ＩＣタグＴの識別情報に対応する点検エリアＡの点検記録の入力が可能となる。
【００４９】
また、警備員Ｇは、例えば犯行現場や盗難現場等の非常事態に遭遇した場合等、必要に応じて、携帯端末１００により現場を撮影する。
【００５０】
また詳細は後述するが、上記ＩＣタグＴの読み取りにより、それに対応する点検エリアＡの点検業務が開始された旨の通知（点検開始信号）が、携帯端末１００からセンタサーバ２００に送信され、センタサーバ２００は当該点検業務を監視可能となる。
【００５１】
［携帯端末のハードウェア構成］
図３は、上記携帯端末１００のハードウェア構成を示した図である。同図に示すように、携帯端末１００は、ＣＰＵ（Central Processing Unit）１０、ＲＯＭ（Read Only Memory）１１、ＲＡＭ（Random Access Memory）１２、入出力インタフェース１４、及び、これらを互いに接続するバス１３を備える。
【００５２】
ＣＰＵ１０は、必要に応じてＲＡＭ１２等に適宜アクセスし、各種演算処理を行いながら携帯端末１００の各ブロック全体を統括的に制御する。ＲＯＭ１１は、ＣＰＵ１０に実行させるＯＳ、プログラムや各種パラメータなどのファームウェアが固定的に記憶されている不揮発性のメモリである。ＲＡＭ１２は、ＣＰＵ１０の作業用領域等として用いられ、ＯＳ、実行中の各種アプリケーション、処理中の各種データを一時的に保持する。
【００５３】
入出力インタフェース１４には、表示部１５、操作受付部１６、記憶部１７、通信部１８、カメラ１９、タグリーダ２０等が接続される。
【００５４】
表示部１５は、例えばＬＣＤ（Liquid Crystal Display）、ＯＥＬＤ（Organic ElectroLuminescence Display）、ＣＲＴ（Cathode Ray Tube）等を用いた表示デバイスである。
【００５５】
操作受付部１６は、例えばタッチパネルやボタン等の入力装置であり、タッチパネルは表示部１５と一体化されている。
【００５６】
記憶部１７は、例えばフラッシュメモリ（ＳＳＤ；Solid State Drive）、その他の固体メモリ等の不揮発性メモリである。当該記憶部１７には、ＯＳの他、本実施形態における巡回点検業務における点検業務情報の入出力のためのアプリケーション（以下、業務アプリケーション）や、記録アプリケーションとして、上記カメラ１９を用いた撮影機能を実行する撮影アプリケーションが記憶される。また記憶部１７には、上記センタサーバ２００からダウンロードされた、警備対象施設内の点検エリアに関する情報等も記憶される。
【００５７】
通信部１８は、３ＧやＬＴＥといったモバイルネットワークに接続するためのモジュールであり、当該ネットワークを介して上記センタサーバ２００との間の通信処理を担う。
【００５８】
カメラ１９は、例えばＣＭＯＳ（Complementary Metal Oxide Semiconductor）やＣＣＤ（Charge Coupled Devices）センサ等の撮像素子により、静止画（写真）及び動画を撮像する。
【００５９】
タグリーダ２０は、例えば上記ＮＦＣに準拠しており、警備対象施設Ｂ内の各点検エリアＡに設置されるＩＣタグＴから、点検エリアＡの識別情報等を読み取る。
【００６０】
［センタサーバのハードウェア構成］
図４は、上記センタサーバ２００のハードウェア構成を示した図である。同図に示すように、センタサーバ２００のハードウェア構成も、上記携帯端末１００のハードウェア構成と基本的に同様である。すなわち、センタサーバ２００は、ＣＰＵ２１、ＲＯＭ２２、ＲＡＭ２３、入出力インタフェース２５、及び、これらを互いに接続するバス２４、表示部２６、操作受付部２７、記憶部２８、通信部２９を備える。ここで表示部２６は、センタサーバ２００に外部接続されていてもよい。また記憶部２８としては、ＨＤＤ（Hard Disk Drive）が用いられてもよい。
【００６１】
ＣＰＵ２１は、記憶部２８や通信部２９等の各ブロックを制御して、携帯端末１００との通信処理や、各種データ処理を実行する。
【００６２】
記憶部２８には、警備対象施設Ｂの点検エリアＡの位置、点検ポイントＰ、点検項目、後述する点検基準時間等に関する情報や、携帯端末１００から受信した点検エリアの点検結果記録情報等が記憶される。
【００６３】
通信部２９は、例えばEthernet（登録商標）用のＮＩＣ（Network Interface Card）であり、上記携帯端末１００との間の通信処理を担う。
【００６４】
［ＩＣタグと業務アプリケーション］
次に、上記ＩＣタグＴと業務アプリケーションとの関係について説明する。図５は、上記携帯端末１００においてＩＣタグから点検エリアＡの識別情報が読み取られて業務アプリケーション上で点検記録が入力される様子を説明した図である。
【００６５】
同図に示すように、各点検エリアＡにおいて、携帯端末１００によってＩＣタグＴから点検エリアＡの識別情報が読み取られると、携帯端末１００の表示部１５には、業務アプリケーションにより、そのＩＣタグＴに対応する点検エリアＡの点検ポイントＰ及び点検項目の一覧が表示される。
【００６６】
それと同時に、当該点検エリアＡの識別情報を含む点検開始信号が携帯端末１００からセンタサーバ２００へ送信される。
【００６７】
警備員Ｇは、当該一覧表示された点検ポイントＰについて、対応する点検項目を順に点検し、例えばチェックボックス５１等のインタフェースにより、点検結果（点検完了／未完了）を漏れの無いように入力する。
【００６８】
また上記一覧表示画面では、各点検ポイントＰ毎にコメントが入力可能とされている。例えば警備員Ｇが点検ポイントＰを点検できなかった等、問題があった場合には、コメントボタン５２をタッチすると、画面が遷移し、例えば未点検の理由をチェックボックス５３によって複数項目から選んで入力したり、その他コメントを入力ボックス５４に自由に入力したりすることができる。
【００６９】
これらの入力された点検結果の記録情報は、例えば画面上で終了ボタン５５が押される等の終了操作があった場合に、点検の終了を通知する点検終了信号とともに、センタサーバ２００へ送信され、蓄積される。
【００７０】
また警備員Ｇが、上記点検中に何らかの異常を発見し、上記カメラ１９及び撮影アプリケーションによって現場を撮影した場合には、その画像も上記点検結果の記録情報とともに送信される。
【００７１】
後述するが、上記撮影アプリケーションによる撮影に際しては、携帯端末１００は、撮影要求信号をセンタサーバ２００へ送信し、センタサーバ２００から撮影許可信号を受信する必要がある。
【００７２】
上記画面に表示される点検情報は、予め携帯端末１００にセンタサーバ２００等からダウンロードされて、上記ＩＣタグＴからの識別情報の読み取りをトリガとして表示されてもよいし、上記読み取りにより点検開始信号がセンタサーバ２００へ送信されたことをトリガとしてセンタサーバ２００からダウンロードされ表示されてもよい。
【００７３】
［点検エリアと基準点検時間］
次に、上記点検エリアＡと基準点検時間について説明する。図６は、上記警備対象施設Ｂにおける点検エリアＡと基準点検時間との関係を示した図である。
【００７４】
同図に示すように、各点検エリアＡには、その点検作業の基準点検時間が設定されている。
【００７５】
上述のように、警備員Ｇが各点検エリアＡで携帯端末１００によりＩＣタグＴから識別情報を読み取ると、点検情報が携帯端末１００に表示され、携帯端末１００に点検結果が入力される。この点検作業はそれぞれ基準点検時間Ｔ（Ｔａ，Ｔｂ，Ｔｃ，Ｔｄ…）内に実施される必要がある。
【００７６】
各基準点検時間Ｔは、各点検エリアＡ毎に、例えばその点検ポイントＰの多少や点検エリアＡの巡回ルートの長さ等によって異なり得る。したがって、各基準点検時間Ｔは、各点検エリアＡ毎に、点検作業を行うために必要十分な時間として、センタサーバ２００において予め設定される。
【００７７】
上記ＩＣタグＴの読み取り（点検業務開始）から基準点検時間Ｔ内に点検が終了しなかった場合（終了がセンタサーバ２００へ通知されなかった場合）には、センタサーバ２００のオペレータは、何らかの異常が発生したと認識し、例えば携帯端末１００に警報を発報したり、電話したりする。
【００７８】
［警備システムの動作］
次に、以上のように構成された警備システムの動作について説明する。以降の説明においては、携帯端末１００のＣＰＵ１０及びセンタサーバ２００のＣＰＵ２１を主な動作主体として説明するが、この動作はそれらＣＰＵ１０，２１の制御下において実行されるプログラム（特に業務アプリケーション及び撮影アプリケーション）とも協働して行われる。
【００７９】
（センタサーバの動作）
まず、上記センタサーバ２００の動作について説明する。図７は、各点検エリアＡの点検業務における上記センタサーバ２００の動作の流れを示したフローチャートである。
【００８０】
同図に示すように、まず、センタサーバ２００のＣＰＵ２１は、携帯端末１００から、点検開始信号を受信したか否かを判断する（ステップ７１）。
【００８１】
点検開始信号を受信したと判断した場合（Ｙｅｓ）、ＣＰＵ２１は、当該点検開始信号に含まれる識別情報によって識別される点検エリアＡに対応する上記点検基準時間のタイマをスタートする（ステップ７２）。
【００８２】
続いてＣＰＵ２１は、携帯端末１００から、点検終了信号を受信したか否かを判断する（ステップ７３）。
【００８３】
点検終了信号を受信したと判断した場合（Ｙｅｓ）、ＣＰＵ２１は、監視対象の点検エリアＡに関する処理を終了し、次の点検エリアＡに関する点検開始信号を待機する。
【００８４】
点検終了信号を受信していないと判断した場合（Ｎｏ）、ＣＰＵ２１は、携帯端末１００から、撮影アプリケーションによる現場撮影を要求する撮影要求信号を受信したか否かを判断する（ステップ７４）。
【００８５】
上記撮影要求信号を受信したと判断した場合（Ｙｅｓ）、ＣＰＵ２１は、撮影許可信号を携帯端末１００へ送信する（ステップ７５）。
【００８６】
続いてＣＰＵ２１は、上記タイマがタイムアップしたか、すなわち、点検開始信号が受信されてから点検基準時間Ｔが経過したか否かを判断する（ステップ７６）。
【００８７】
タイマがタイムアップしたと判断した場合（Ｙｅｓ）、ＣＰＵ２１は、異常警報をセンタサーバ２００の表示部２６に出力して管制員Ｃに異常報知するとともに、携帯端末１００に異常報知信号を送信する（ステップ７７）。
【００８８】
センタサーバ２００は、以上の処理を、点検エリアＡ毎に実行する。
【００８９】
（携帯端末１００の動作）
次に、携帯端末１００の動作について説明する。図８は、各点検エリアＡの点検業務における携帯端末１００の撮影アプリケーションの制御動作の流れを示したフローチャートである。業務アプリケーションにおいて点検エリアＡの点検が開始されると、図８に示す撮影アプリケーションの制御動作が開始され、業務アプリケーションにて点検終了の入力がなされると、かかる動作が終了される。
【００９０】
当該動作の前提として、上記撮影アプリケーションは、センタサーバ２００からの許可を受けない限り、その実行が禁止された（起動していない）状態であるものとする。また上記業務アプリケーションは、常に実行中であってもよいし、上記ＩＣタグＴの読み取り及び点検終了ボタンの押下をトリガとして実行開始／終了されてもよい。
【００９１】
同図に示すように、携帯端末１００のＣＰＵ１０は、点検エリアＡの点検開始が入力されたか、すなわち、上記ＩＣタグＴによる識別情報等の読み取り操作があったか否かを判断する（ステップ８１）。
【００９２】
点検開始が入力された場合（Ｙｅｓ）、ＣＰＵ１０は、上記点検エリアＡの識別情報とともに、点検開始信号をセンタサーバ２００へ送信する（ステップ８２）。携帯端末１００では、業務アプリケーションにより点検情報が表示部１５上に表示され、警備員Ｇは表示部１５上で点検結果を入力しながら点検エリアＡの点検を行う。
【００９３】
続いてＣＰＵ１０は、警備員Ｇから、現場の撮影要求操作が入力されたか否かを判断する（ステップ８３）。撮影要求操作は、例えば上記業務アプリケーションによるユーザインタフェース上のボタンの押下やカメラ１９の撮影ボタンの押下等により入力される。
【００９４】
撮影要求操作が入力されたと判断した場合（Ｙｅｓ）、ＣＰＵ１０は、撮影要求信号をセンタサーバ２００へ送信する（ステップ８４）。
【００９５】
続いてＣＰＵ１０は、センタサーバ２００から撮影許可信号を受信したか否かを判断する（ステップ８５）。
【００９６】
撮影許可信号を受信したと判断した場合（Ｙｅｓ）、ＣＰＵ１０は、撮影アプリケーションの実行の禁止を解除する（ステップ８６）。これにより撮影アプリケーションが起動可能となる。
【００９７】
本実施形態では、この禁止解除処理は、上記ＩＣタグＴの読み取り処理が実行された後に上記撮影許可要求が入力されたことが条件とされてもよい。具体的には、撮影許可信号を受信した時点で携帯端末１００が上記読み取り処理が実行済みであることを確認してもよいし、センタサーバ２００が、撮影要求信号の受信が点検開始信号の受信後であることを確認しない限り撮影許可信号を送信しないようにしてもよい。
【００９８】
続いてＣＰＵ１０は、警備員Ｇにより撮影機能の使用が開始されたか否か、すなわち、撮影アプリケーションが実行されたか否かを判断し（ステップ８７）、撮影アプリケーションが実行された（起動した）と判断した場合（Ｙｅｓ）、上記業務アプリケーション（への入力操作）を実行不可能とする（ステップ８８）。この実行不可能とする処理は、業務アプリケーションを終了する処理、あるいは、業務アプリケーションへの入力を受付禁止とする処理として行われる。
【００９９】
またＣＰＵ１０は、上記撮影アプリケーションが実行されている間は、上記タグリーダ２０によるＩＣタグＴの読み取り処理も実行不可能としてもよい。
【０１００】
続いてＣＰＵ１０は、実行禁止を解除された撮影アプリケーションの強制禁止条件に合致したか否かを判断する（ステップ８９）。
【０１０１】
ここで強制禁止条件とは、例えば、上記撮影機能の使用開始から所定時間が経過したこと、撮影機能の使用開始から所定回数以上撮影が実行されたこと、携帯端末１００が撮影機能の使用を開始した位置から所定範囲の距離を逸脱したこと等が挙げられる。
【０１０２】
上記所定時間の経過は、携帯端末１００が上記撮影アプリケーションの実行禁止解除（ステップ８６）あるいは撮影機能の使用開始（ステップ８７のＹｅｓ）からタイマをスタートすることで検出可能である。上記撮影回数の超過は、携帯端末１００が上記撮影アプリケーションの実行禁止解除（ステップ８６）あるいは撮影機能の使用開始（ステップ８７のＹｅｓ）から撮影回数をカウントすることで検出可能である。また上記撮影機能の仕様を開始した位置から所定範囲の距離の逸脱は、例えば携帯端末１００がＧＰＳ（Global Positioning System）センサ等の測位用のセンサを具備することにより検出可能である。すなわち、携帯端末１００は、当該測位センサにより、上記撮影アプリケーションの実行禁止解除（ステップ８６）あるいは撮影機能の使用開始（ステップ８７のＹｅｓ）の時点の位置を取得して記憶しておき、携帯端末１００の現在位置が、記憶時の位置から所定範囲の距離だけ離れたことを以って逸脱が検出される。
【０１０３】
上記各条件における所定時間及び所定回数は、警備員Ｇが、点検業務において撮影に必要とされると想定される時間及び回数に予め設定される。また上記所定範囲の距離は、点検エリアＡの面積、縦横長等に応じて、例えば点検エリアＡ内で警備員Ｇが移動しうる最長距離等を基準に予め設定される。上記強制禁止条件となる所定時間、所定回数、所定範囲の情報は、センタサーバ２００の記憶部２８に記憶され、撮影許可信号とともに携帯端末１００に送信されてもよいし、携帯端末１００に予め記憶されていてもよい。
【０１０４】
上記強制禁止条件に合致したと判断した場合、ＣＰＵ１０は、撮影アプリケーションを強制終了させるとともに（ステップ９１）、業務アプリケーションの実行禁止を解除する（ステップ９２）。
【０１０５】
またＣＰＵ１０は、警備員Ｇから、例えば画面またはボタンを介して、撮影アプリケーションの終了操作が入力されたか否かを判断し（ステップ９０）、終了操作が入力されたと判断した場合には（Ｙｅｓ）、撮影アプリケーションを強制終了させるとともに（ステップ９１）、業務アプリケーションの実行禁止を解除する（ステップ９２）。
【０１０６】
図９は、以上説明したセンタサーバ２００及び携帯端末１００の動作を含む、各点検エリアＡの点検業務における警備システムの動作の流れを模式的に示した図である。
【０１０７】
同図に示すように、まず点検エリアＡ１において、ＩＣタグＴ１が読み取られることで点検情報が表示されて点検業務が開始され、点検結果が入力される。当該点検エリアＡ１における点検業務は基準点検時間Ｔａ内に終了し、次の点検エリアＡ２において、ＩＣタグＴ２が読み取られて同様に点検業務が開始される。
【０１０８】
ここで、警備員Ｇが、撮影すべき状況に遭遇したとする。そうすると携帯端末１００は、警備員Ｇの撮影要求操作に応じて、撮影要求信号をセンタサーバ２００へ送信する（同図（１））。
【０１０９】
これに対してセンタサーバ２００は、撮影許可信号を携帯端末１００へ送信する（同図（２））。
【０１１０】
当該撮影許可信号を受けて、携帯端末１００は、撮影アプリケーションの実行禁止を解除し、撮影アプリケーションが実行されると、業務アプリケーションの実行を禁止する（同図（３））。
【０１１１】
そして携帯端末１００において撮影が完了し、撮影アプリケーションが終了された場合には、業務アプリケーションの実行禁止が解除される（同図（４））。
【０１１２】
その後は、警備員Ｇは業務アプリケーションを用いた点検業務に戻る。警備員Ｇは、この点検エリアＢにおける業務アプリケーションによる点検業務と撮影アプリケーションによる撮影を、基準点検時間Ｔｂ内に実行し、次の点検エリアＡ３に向かう必要がある。したがって警備員Ｇは、撮影すべき状況にあっても、業務アプリケーションによる点検業務に要する時間にも配慮する必要があるため、警備員Ｇには、撮影アプリケーションの実行を最小限に留めようという抑制心が働く。これにより撮影アプリケーションによる撮影が業務に必要な程度以上に行われるのが防止される。
【０１１３】
＜第２の実施形態＞
次に、本技術の第２の実施形態について説明する。
【０１１４】
上記第１の実施形態においては、警備員Ｇが警備対象施設Ｂにおいて予め決められた巡回エリアを点検する際に、本発明が適用された例が示された。本実施形態では、警備対象施設Ｂに設置された警備装置からセンタサーバ２００へ送信される異常信号に基づいて、警備員Ｇが現場に急行して現場を点検する際に、本発明が適用される。
【０１１５】
図１０は、本実施形態に係る警備システムの概要を示した図である。
【０１１６】
同図に示すように、事務所や住宅等の警備対象施設Ｂに設置された警備装置３００から異常信号がセンタサーバ２００へ送信されると、例えばコントロールセンタの管制員Ｃからの電話で、またはセンタサーバ２００からの通信により、所定の緊急発進拠点に待機している警備員Ｇに緊急発進命令が伝わる。
【０１１７】
そうすると、警備員Ｇは、携帯端末１００を携帯して、例えば車両等で現場となる警備対象施設Ｂへ急行する。当該現場へ向かう時点で、警備員Ｇは、携帯端末１００を介して、現場へ急行する旨を伝える急行信号をセンタサーバ２００へ送信する。
【０１１８】
急行信号の受信から現場への到着までの移動時間、及び、現場での点検時間には、それぞれ基準移動時間Ｔｇ、基準点検時間Ｔｔが設定されている。
【０１１９】
センタサーバ２００は、上記急行信号の受信をトリガとして、上記基準移動時間Ｔｇのタイマをスタートさせる。
【０１２０】
警備員Ｇは、現場へ到着すると、現場の点検を開始する点検開始信号を携帯端末１００からセンタサーバ２００へ送信する。これにより、センタサーバ２００で基準移動時間Ｔｇのタイマが終了し、基準点検時間Ｔｔのタイマがスタートする。当該点検も、上記業務アプリケーションの実行により点検結果が入力されることで行われる。そして警備員Ｇは、現場の点検が終了すると、点検終了信号を携帯端末１００からセンタサーバ２００へ送信する。これにより、センタサーバ２００において基準点検時間Ｔｔのタイマが終了する。
【０１２１】
この現場の点検業務中に撮影アプリケーションによる撮影が必要になった場合には、上記第１の実施形態と同様に、携帯端末１００から、撮影要求信号がセンタサーバ２００へ送信され、センタサーバ２００から撮影許可信号が受信された場合に、撮影アプリケーションの実行禁止が解除される。
基準移動時間Ｔｇのタイマまたは基準点検時間Ｔｔのタイマがタイムアップした場合には、センタサーバ２００は、異常ありと判断して、異常警報を発報する。
【０１２２】
以上の処理において、センタサーバ２００及び携帯端末１００の動作は、上記第１の実施形態における図７及び図８のフローチャートと比較して、巡回対象の点検エリアが、急行対象の警備対象施設Ｂに置き換わった以外は同様である。
【０１２３】
＜変形例＞
本技術は上述の実施形態にのみ限定されるものではなく、本技術の要旨を逸脱しない範囲内において種々変更され得る。
【０１２４】
上述の各実施形態では、携帯端末１００において撮影要求操作があった場合には、撮影要求信号がセンタサーバ２００へ送信され、センタサーバ２００から撮影許可信号が受信された場合に撮影アプリケーションが実行可能とされた。しかし、この撮影許可は、センタサーバ２００ではなく携帯端末１００により行われてもよい。すなわち、例えば業務アプリケーションが撮影アプリケーションの実行を管理し、通常は撮影アプリケーションを実行禁止（無効化）状態にしておき、上記撮影要求操作があった場合に撮影アプリケーションを実行可能な状態に遷移させてもよい。この場合も、撮影アプリケーションの禁止解除とともに、業務アプリケーションの実行が禁止される。すなわち、携帯端末１００が、業務アプリケーションと撮影アプリケーションが同時に実行されないように両アプリケーションを制御できる形態であれば、どのような手段が実行されてもよい。特に上記第２の実施形態では、上記第１の実施形態と比較して、異常事態が発生している可能性が高いと言え、警備員Ｇが現場に到着してから撮影要求信号を送信し撮影許可信号を受信する時間的または物理的余裕が無いことも想定されるため、上記処理が有効である。
【０１２５】
上述の各実施形態では、点検業務開始からのタイマ計測をセンタサーバ２００が実行していたが、この処理は携帯端末１００において実行されてもよい。この場合、点検開始から基準点検時間Ｔ内に点検業務が終了しなかった（終了ボタンが押されなかった）場合に携帯端末１００がタイムアップをセンタサーバ２００へ送信すればよい。もちろん、タイマ計測を携帯端末１００が実行する場合でも、点検開始信号がセンタサーバ２００へ送信されてもよい。
【０１２６】
また上述の実施形態では、点検業務の開始は、ＩＣタグＴの読み取りをトリガとして検出されたが、業務アプリケーションによって表示される開始ボタン等、その他の検出手段によって検出されてもよい。また上述の実施形態では、点検業務の終了は、業務アプリケーションによって表示される終了ボタンによって検出されたが、点検エリアＡの最終の点検ポイントＰ付近にＩＣタグＴが設置され、そのＩＣタグＴの読み取りによって点検業務の終了が検出されてもよい。
【０１２７】
上述の各実施形態において、センタサーバ２００は、例えば撮影許可信号を送信した後に、強制終了信号を携帯端末１００へ送信し、強制的に撮影アプリケーションを終了させてもよい。この場合、センタサーバ２００は、例えば撮影許可信号を送信してから所定時間が経過したときに強制終了信号を送信してもよい。また携帯端末１００は、撮影アプリケーション実行中に、携帯端末１００の測位センサで測定された位置情報を逐次センタサーバ２００へ送信してもよく、センタサーバ２００は、点検開始信号の受信時に受信した位置情報を基準に、その位置から所定範囲の距離（例えば点検エリアＡ内で警備員Ｇが移動する可能性のある距離以上の距離）の移動が確認された場合に、強制終了信号を送信してもよい。
【０１２８】
上述の各実施形態においては、撮影アプリケーションにより撮影される画像として静止画像（写真）が想定されていたが、撮影されるのは動画像であってもよい。また撮影アプリケーションに代わって、現場の音声を記録する録音アプリケーションが本発明の実行禁止及び実行禁止解除の対象とされてもよい。すなわち、本発明は、警備員Ｇの警備中における実環境の画像または音声を記録するための記録アプリケーション全般に適用可能である。
【符号の説明】
【０１２９】
１０、２１…ＣＰＵ
１２、２３…ＲＡＭ
１５、２６…表示部
１６、２７…操作受付部
１７、２８…記憶部
１８、２９…通信部
１９…カメラ
２０…タグリーダ
５０…ネットワーク
５５…終了ボタン
１００…携帯端末
２００…センタサーバ
３００…警備装置
Ａ…点検エリア
Ｂ…警備対象施設
Ｇ…警備員
Ｐ…点検ポイント
Ｔ…ＩＣタグ
【図３】
2015118497.tif 000003
【図４】
2015118497.tif 000004
【図５】
2015118497.tif 000005
【図７】
2015118497.tif 000006
【図８】
2015118497.tif 000007
【図１】
2015118497.tif 000008
【図２】
2015118497.tif 000009
【図６】
2015118497.tif 000010
【図９】
2015118497.tif 000011
【図１０】
2015118497.tif 000012